(57)【特許請求の範囲】
【請求項１】
センターコンソールの下部位置に自動変速機用デバイス及びスライドプレートを配してなると共に前記センターコンソールの上部位置に自動変速機用インジケータ本体を配してなる自動変速機用インジケータであって、
前記自動変速機用インジケータ本体は、前記センターコンソールの上部位置に配される上部本体と、前記センターコンソールの下部位置に配される下部本体とが分割されてなり、
前記上部本体及び前記下部本体の間にスライドプレートを介在してなり、
前記自動変速機用インジケータ本体は、前記センターコンソールに形成されてなる開口に挿入されてなると共に、水平方向に移動しても該開口が露出しないように、前記上部本体の周縁部が該開口周縁部に対してオーバラップしてなり、
前記下部本体に位置決めピンが突設させてなると共に前記自動変速機用デバイスに該位置決めピンを受け入れる凹部が形成されてなり、
前記凹部の自動車の後方側に斜面部を設けるとともに、
前記センターコンソールの前端部を、前記自動変速機用インジケータ組み付け時における前記位置決めピンの位置よりも前方かつ上方の位置でインストルメントパネルに係合し、センターコンソールが前端部を基点に上下方向に回転できるようにすることで、
前記自動変速機用インジケータ本体を組み付けたセンターコンソールを前端部を基点に下方に回転させた際に、前記下部本体に突設させた位置決めピンが、自動変速機用デバイスに形成した凹部に挿入されるようにしたことを特徴とする自動変速機用インジケータ。
【請求項２】
請求項１に記載の自動変速機用インジケータであって、
前記凹部の入り口近傍が、すり鉢状に形成されてなることを特徴とする自動変速機用インジケータ。
【発明の詳細な説明】
【０００１】
【発明の属する技術分野】
この発明は、自動変速機用インジケータに関する。
【０００２】
【従来の技術】
従来の自動変速機用インジケータとしては、実開平５-２２１４９号公報に示すように、自動変速機用インジケータ本体が、自動変速機用デバイスと別体化されている場合は、センターコンソールの開口部と、自動変速機用デバイスとの位置のバラツキを吸収するために、自動変速機用インジケータ本体を後から組み付けている。
【０００３】
【発明が解決しようとする課題】
しかしながら、このような自動変速機用インジケータにあっては、該自動変速機用インジケータ本体から前後方向に移動するスライドプレートを、自動変速機用インジケータ本体の開口部に挿入してから組み付ける必要があったので、組み付けしづらく、作業時間が増大する、という問題点があった。このため、自動変速機用インジケータ本体をあらかじめ自動変速機用デバイスに組み付けることが考えられるが、かかる構成によれば、センターコンソールの開口部と、自動変速機用インジケータ本体との位置づれを隠すための専用部品が必要となり、構成部品が増大して、原価が高騰する、という問題が発生する。
【０００４】
この発明は、このような従来の状況に鑑みてなされたものであり、原価が高騰することなく、自動変速機用インジケータ本体とセンターコンソールの開口部との位置ずれを隠し、質感を向上させた自動変速機用インジケータを提供するものである。
【０００５】
【課題を解決するための手段】
請求項１記載の発明は、センターコンソールの下部位置に自動変速機用デバイス及びスライドプレートを配してなると共に前記センターコンソールの上部位置に自動変速機用インジケータ本体を配してなる自動変速機用インジケータであって、前記自動変速機用インジケータ本体は、前記センターコンソールの上部位置に配される上部本体と、前記センターコンソールの下部位置に配される下部本体とが分割されてなり、前記上部本体及び前記下部本体の間にスライドプレートを介在してなり、前記自動変速機用インジケータ本体は、前記センターコンソールに形成されてなる開口に挿入されてなると共に、水平方向に移動しても該開口が露出しないように、前記上部本体の周縁部が該開口周縁部に対してオーバラップしてなり、前記下部本体に位置決めピンが突設させてなると共に前記自動変速機用デバイスに該位置決めピンを受け入れる凹部が形成されてなり、前記凹部の自動車の後方側に斜面部を設けるとともに、前記センターコンソールの前端部を、前記自動変速機用インジケータ組み付け時における前記位置決めピンの位置よりも前方かつ上方の位置でインストルメントパネルに係合し、センターコンソールが前端部を基点に上下方向に回転できるようにすることで、前記自動変速機用インジケータ本体を組み付けたセンターコンソールを前端部を基点に下方に回転させた際に、前記下部本体に突設させた位置決めピンが、自動変速機用デバイスに形成した凹部に挿入されるようにした。
【０００６】
請求項１記載の発明によれば、センターコンソールの開口と自動変速機用インジケータ本体との水平方向の位置ずれは、自動変速機用インジケータ本体とセンターコンソール開口とのラップ代で吸収するため、該開口を覆う専用部品が不要となり、製造原価が低減できるばかりか、質感も向上する。
【０００８】
また、組み付け作業時に、スライドプレートをセンターコンソールの開口から挿入する必要が無く、作業性が向上する。さらに、あらかじめインストルメントパネルに固定したセンターコンソールへ組み付けた自動変速機用インジケータ本体を自動変速機用デバイスに組み付ける際に、凹部の自動車の後方側に斜面部を設けたため、組み付けが可能であり、自動車への組み付け自由度が増すことになる。
【０００９】
請求項２記載の発明は、請求項１に記載の自動変速機用インジケータであって、前記凹部の入り口近傍が、すり鉢状に形成されてなる。
【００１０】
請求項２記載の発明によれば、前記下部本体を自動変速機用デバイスに組み付け時に、位置決めピンがすり鉢状の凹部に案内されるので、作業性が著しく向上する。
【００１３】
【発明の実施の形態】
以下、この発明の好適な一実施形態を図１〜図２に基づいて説明する。
【００１４】
符号１は、この実施形態の自動変速機用インジケータであって、該自動変速機用インジケータ１は、センターコンソール２の下部位置に自動変速機用デバイス３及びスライドプレート４を配してなると共に前記センターコンソール２の上部位置に自動変速機用インジケータ本体５を配してなる。
【００１５】
前記自動変速機用インジケータ本体５は、前記センターコンソール２の上部位置に配される上部本体７と、前記センターコンソール２の下部位置に配される下部本体８とに分割されてなり、前記上部本体７及び前記下部本体８の間にスライドプレート４を介在してなる。
【００１６】
前記センターコンソール２には、開口６が形成されてなり、該開口６に自動変速機用インジケータ本体５の上部本体７の抑え部７ａが挿入されてなると共に、前後左右の水平方向に移動しても、該開口６が露出しないように、該開口６の周縁部に対して、鍔部７ｂがラップ代９分オーバラップしてなる。しかも、該鍔部７ｂの裏面と前記センターコンソール２の上面との間には、隙間１０が形成されていて、該隙間１０は、上部本体７が前後左右に動くための必要最低限のものである。
【００１７】
前記下部本体８には、位置決めピン８ａが突設垂下されてなり、自動変速機用デバイス３には、該位置決めピン８ａを受け入れる凹部３ａが形成されてなり、該凹部３ａの入り口近傍が、すり鉢状に形成されてなり、該凹部３ａの自動車の後方側には、拡大された斜面部３ｂが形成されてなる。前記下部本体８と前記自動変速機用デバイス３の凹部３ａの頂部との間の隙間１１及び位置決めピン８ａの下端部と凹部３ａの底部との間の隙間１２は、前記隙間１０より大きくしていて、部品のばらつきを吸収しているので、質感を向上できる。
【００１８】
前記自動変速機用インジケータ本体５の上部本体７には、前記自動変速機用デバイス３に前後動・左右動自在に支持されたシフトシャフト１６のスライド部１７が形成されてなると共にパーキングポジションＰ、リバースポジションＲ、ニュートラルポジションＮ、ドライブポジションＤ、そして２速ポジション・１速ポジションが刻印されている。
【００１９】
前記下部本体８には、前記スライドプレート４の挿通される通し穴１３が形成されてなり、左右端部にはリブ１４が形成されている。
【００２０】
符号１５は、シフトノブで、シフトシャフト１６の自由端部に配設されてなる。
【００２１】
この実施形態によれば、センターコンソール２の開口６と自動変速機用インジケータ本体５の上部本体７との水平方向の位置ずれは、自動変速機用インジケータ本体５とセンターコンソール２の開口６とのラップ代で吸収するため、該開口６を覆う専用部品が不要となり、製造原価が低減できるばかりか、質感も向上する。
【００２２】
そして、組み付け作業時に、スライドプレート４をセンターコンソール２の開口６から挿入する必要が無く、作業性が向上する。
【００２３】
また、前記下部本体８を自動変速機用デバイス３に組み付け時に、位置決めピン８ａがすり鉢状の凹部３ａに案内されるので、作業性が著しく向上する。
【００２４】
図２に示すように、センターコンソール２の前端部２ａを、あらかじめ図示しないインストルメントパネルに係合して、後端部２ｂを回転させて、下部本体８の上部に載せて固定したセンターコンソール２へ組み付けた自動変速機用インジケータ本体５を自動変速機用デバイス３に組み付ける際に、凹部３ａの自動車の後方側に斜面部３ｂを設けたため、組み付けが可能であり、自動車への組み付け自由度が増すことになる。
【図面の簡単な説明】
【図１】この発明の一実施形態に係る自動変速機用インジケータの分解斜視図。
【図２】図１のＳＡ−ＳＡ線に沿った断面図。
【符号の説明】
１  自動変速機用インジケータ
２  センターコンソール
３  自動変速機用デバイス
４  スライドプレート
５  自動変速機用インジケータ本体
６  センターコンソールの開口
７  自動変速機用インジケータ本体の上部本体
８  自動変速機用インジケータ本体の下部本体
９  ラップ代
１０、１１，１２  隙間
【図１】
0003912036.tif 000002
【図２】
0003912036.tif 000003